(57)【特許請求の範囲】
【請求項１】
利用者端末と、店舗に設置された店舗端末と、管理サーバと、アプリケーションサーバとを有する情報提供システムにおいて、
前記利用者端末が所定のエリア内に存在するかどうかを判定するアクセスポイントを有し、
前記店舗端末は、入力された商品識別情報を含む購入情報を前記管理サーバへ送信し、
前記アクセスポイントは、前記利用者端末が前記エリア内に存在しなくなったと判定した場合、所定の第１の通知を前記管理サーバへ送信し、
前記管理サーバは、前記店舗端末を複数管理可能であり、前記店舗端末から送信されてきた購入情報に基づいて、前記商品識別情報に対応する商品名と、該商品名が示す商品の価格と、購入した商品の個数と、合計金額と、購入日時とを対応付けた購入データを生成し、前記アクセスポイントから前記第１の通知を受信すると、前記購入データを前記アプリケーションサーバへ送信し、
前記アプリケーションサーバは、前記管理サーバから送信されてきた購入データに基づいて、所定のリストを作成し、該リストを前記利用者端末に表示させる情報提供システム。
【請求項２】
請求項１に記載の情報提供システムにおいて、
前記管理サーバは、前記購入データに応じた二次元コードを生成して前記店舗端末へ送信し、前記利用者端末から前記二次元コードが送信されてくると、該二次元コードに応じた購入データを前記利用者端末へ送信し、
前記店舗端末は、前記管理サーバから送信されてきた二次元コードを表示したレシートを出力し、
前記利用者端末は、前記レシートに表示された二次元コードを読み取り、該読み取った二次元コードを前記管理サーバへ送信し、前記管理サーバから前記購入データが送信されてくると、該購入データを前記アプリケーションサーバへ送信し、
前記アプリケーションサーバは、前記利用者端末から送信されてきた購入データに基づいて、前記リストを作成する情報提供システム。
【請求項３】
請求項１に記載の情報提供システムにおいて、
前記管理サーバは、前記購入データに応じた二次元コードを生成して出力し、前記利用者端末から前記二次元コードが送信されてくると、該二次元コードに応じた購入データを前記利用者端末へ送信し、
前記利用者端末は、前記管理サーバが出力した二次元コードを読み取り、該読み取った二次元コードを前記管理サーバへ送信し、前記管理サーバから前記購入データが送信されてくると、該購入データを前記アプリケーションサーバへ送信し、
前記アプリケーションサーバは、前記利用者端末から送信されてきた購入データに基づいて、前記リストを作成する情報提供システム。
【請求項４】
請求項１に記載の情報提供システムにおいて、
前記アクセスポイントは、前記利用者端末が前記エリア内に入ってきたと判定した場合、所定の第２の通知を前記管理サーバへ送信し、
前記管理サーバは、前記アクセスポイントから前記第２の通知を受信すると、前記購入データに基づいて、購入を促す商品情報を前記アプリケーションサーバへ送信し、
前記アプリケーションサーバは、前記管理サーバから送信されてきた商品情報を前記利用者端末に表示させる情報提供システム。
【請求項５】
請求項１から４のいずれか１項に記載の情報提供システムにおいて、
前記管理サーバは、前記店舗端末から送信されてきた購入情報に基づいて、前記商品名と、前記価格と、前記個数と、前記合計金額と、前記購入日時と、前記店舗の名称とを対応付けた購入データを生成する情報提供システム。
【請求項６】
請求項１から５のいずれか１項に記載の情報提供システムにおいて、
前記管理サーバは、前記商品識別情報と前記商品名とをあらかじめ対応付けて記憶しておくデータベースを有する情報提供システム。
【請求項７】
利用者端末と、店舗に設置された店舗端末と、前記店舗端末を複数管理可能な管理サーバと、アプリケーションサーバと、アクセスポイントとを有する情報提供システムにおける情報提供方法であって、
前記アクセスポイントが、前記利用者端末が所定のエリア内に存在するかどうかを判定する処理と、
前記店舗端末が、入力された商品識別情報を含む購入情報を前記管理サーバへ送信する処理と、
前記アクセスポイントが、前記利用者端末が前記エリア内に存在しなくなったと判定した場合、所定の第１の通知を前記管理サーバへ送信する処理と、
前記管理サーバが、前記店舗端末から送信されてきた購入情報に基づいて、前記商品識別情報に対応する商品名と、該商品名が示す商品の価格と、購入した商品の個数と、合計金額と、購入日時とを対応付けた購入データを生成する処理と、
前記管理サーバが、前記アクセスポイントから前記第１の通知を受信すると、前記購入データを前記アプリケーションサーバへ送信する処理と、
前記アプリケーションサーバが、前記購入データに基づいて、所定のリストを作成する処理と、
前記アプリケーションサーバが、前記リストを前記利用者端末に表示させる処理とを行う情報提供方法。
【発明の詳細な説明】
【技術分野】
【０００１】
本発明は、情報を提供する情報提供システムおよび情報提供方法に関する。
【背景技術】
【０００２】
一般的に家計簿作成に用いられている家計簿アプリケーションは、入力されたデータの集計はできるものの、購入日・商品名・価格等のデータを入力する必要がある。ここで、商品を購入した際に受け取るレシートをカメラで撮影し、ＯＣＲ（Ｏｐｔｉｃａｌ  Ｃｈａｒａｃｔｅｒ  Ｒｅｃｏｇｎｉｔｉｏｎ）機能を用いて文字を認識し、入力を半自動化することが考えられる。しかしながら、レシートが折れ曲がっていると文字の認識が困難になってしまったり、認識した文字に誤りがないか最終的に利用者がチェックしたりする必要がある。
そこで、店舗名、購入日、商品名、商品個数、価格等の購入データに基づいて、二次元コードを生成してレシートに表示し、携帯端末やネットワーク家電が二次元コードを読み取ることで家計簿を作成する技術が考えられている（例えば、特許文献１参照。）。
【先行技術文献】
【特許文献】
【０００３】
【特許文献１】特開２００６−３５０９３９号公報
【発明の概要】
【発明が解決しようとする課題】
【０００４】
しかしながら、特許文献１に記載の技術においては、管理サーバをローカルに設置しており、管理サーバは店舗ごとに管理を行っている。そのため、同じ商品であっても購入した店舗が異なれば商品名が異なってしまうことがある。例えば、店舗によっては、商品名を漢字表記にしていたり、カタカナ表記にしていたり、独自の略語にしていたりすることがある。これにより、同一商品であるにもかかわらず、家計簿上では別のアイテムとなってしまい、利用者は商品を認識することができず、認識しやすい家計簿を容易に作成することができないという問題点がある。
【０００５】
本発明の目的は、上述した課題を解決する情報提供システムおよび情報提供方法を提供することである。
【課題を解決するための手段】
【０００６】
本発明の情報提供システムは、
利用者端末と、店舗に設置された店舗端末と、管理サーバと、アプリケーションサーバとを有する情報提供システムであって、
前記店舗端末は、入力された商品識別情報を含む購入情報を前記管理サーバへ送信し、
前記管理サーバは、前記店舗端末を複数管理可能であり、前記店舗端末から送信されてきた購入情報に基づいて、前記商品識別情報に対応する商品名と、該商品名が示す商品の価格と、購入した商品の個数と、合計金額と、購入日時とを対応付けた購入データを生成し、
前記アプリケーションサーバは、前記管理サーバが生成した購入データに基づいて、所定のリストを作成し、該リストを前記利用者端末に表示させる。
また、本発明の情報提供方法は、
利用者端末と、店舗に設置された店舗端末と、前記店舗端末を複数管理可能な管理サーバと、アプリケーションサーバとを有する情報提供システムにおける情報提供方法であって、
前記店舗端末が、入力された商品識別情報を含む購入情報を前記管理サーバへ送信する処理と、
前記管理サーバが、前記店舗端末から送信されてきた購入情報に基づいて、前記商品識別情報に対応する商品名と、該商品名が示す商品の価格と、購入した商品の個数と、合計金額と、購入日時とを対応付けた購入データを生成する処理と、
前記アプリケーションサーバが、前記購入データに基づいて、所定のリストを作成する処理と、
前記アプリケーションサーバが、前記リストを前記利用者端末に表示させる処理とを行う。
【発明の効果】
【０００７】
以上説明したように、本発明においては、利用者の認識しやすい家計簿を容易に得ることができる。
【図面の簡単な説明】
【０００８】
【図１】本発明の情報提供システムの第１の実施の形態を示す図である。
【図２】図１に示した情報提供システムにおける情報提供方法を説明するためのシーケンス図である。
【図３】本発明の情報提供システムの第２の実施の形態を示す図である。
【図４】図３に示した管理サーバの内部構成の一例を示す図である。
【図５】図４に示したデータベースが記憶する商品識別情報と商品名との対応付けの一例を示す図である。
【図６】図３に示した店舗端末の内部構成の一例を示す図である。
【図７】図３に示した利用者端末の内部構成の一例を示す図である。
【図８】図３に示したアプリケーションサーバの内部構成の一例を示す図である。
【図９】図３に示した情報提供システムにおける情報提供方法を説明するためのシーケンス図である。
【図１０】本発明の情報提供システムの第３の実施の形態を示す図である。
【図１１】図１０に示した管理サーバの内部構成の一例を示す図である。
【図１２】図１０に示した情報提供システムにおける情報提供方法を説明するためのシーケンス図である。
【図１３】本発明の情報提供システムの第４の実施の形態を示す図である。
【図１４】図１３に示したアクセスポイントの内部構成の一例を示す図である。
【図１５】図１３に示した管理サーバの内部構成の一例を示す図である。
【図１６】図１３に示したアプリケーションサーバの内部構成の一例を示す図である。
【図１７】図１３に示した情報提供システムにおける情報提供方法を説明するためのシーケンス図である。
【図１８】本発明の情報提供システムの第５の実施の形態を示す図である。
【図１９】図１８に示したアクセスポイントの内部構成の一例を示す図である。
【図２０】図１８に示した管理サーバの内部構成の一例を示す図である。
【図２１】図１８に示したアプリケーションサーバの内部構成の一例を示す図である。
【図２２】図１８に示した情報提供システムにおける情報提供方法を説明するためのシーケンス図である。
【発明を実施するための形態】
【０００９】
以下に、本発明の実施の形態について図面を参照して説明する。
（第１の実施の形態）
【００１０】
図１は、本発明の情報提供システムの第１の実施の形態を示す図である。
本形態における情報提供システムは図１に示すように、利用者端末１００と、店舗端末２００−１，２００−２と、管理サーバ３００と、アプリケーションサーバ４００とを有している。なお、図１に示した形態においては、店舗端末２００−１，２００−２の数が２である場合を例に挙げて示しているが、３以上であっても良い。
【００１１】
利用者端末１００は、例えば、スマートホンやタブレットＰＣ（Ｐｅｒｓｏｎａｌ  Ｃｏｍｐｕｔｅｒ）、固定のＰＣ等の利用者が利用する通信装置である。
店舗端末２００−１は、店舗に設置された通信装置であって、入力された商品識別情報を含む購入情報を管理サーバ３００へ送信する。なお、店舗端末２００−２の動作については、店舗端末２００−１と同じである。以下、代表して店舗端末２００−１が動作した場合を例に挙げて説明する（他の実施の形態についても同様である）。
管理サーバ３００は、複数の店舗端末２００−１，２００−２と通信が可能であり、これらを管理する。また、管理サーバ３００は、店舗端末２００−１，２００−２から送信されてきた購入情報に基づいて、商品識別情報に対応する商品名と、その商品名が示す商品の価格と、購入した商品の個数と、合計金額と、店舗の名称と、購入日時とを対応付けた購入データを生成する。
アプリケーションサーバ４００は、管理サーバ３００が生成した購入データに基づいて、所定のリストを作成する。また、アプリケーションサーバ４００は、作成したリストを利用者端末１００に表示させる。ここで、管理サーバ３００が生成した購入データをアプリケーションサーバ４００がどのように取得するかについては限定しない。
【００１２】
以下に、図１に示した情報提供システムにおける情報提供方法について説明する。
図２は、図１に示した情報提供システムにおける情報提供方法を説明するためのシーケンス図である。
まず、店舗端末２００−１に商品識別情報が入力されると（ステップＳ１）、店舗端末２００−１は、入力された商品識別情報を含む購入情報を管理サーバ３００へ送信する（ステップＳ２）。すると、管理サーバ３００は、店舗端末２００−１から送信されてきた購入情報に基づいて、商品識別情報に対応する商品名と、その商品名が示す商品の価格と、購入した商品の個数と、合計金額と、店舗の名称と、購入日時とを対応付けた購入データを生成する（ステップＳ３）。
その後、アプリケーションサーバ４００は、管理サーバ３００が生成した購入データに基づいて、所定のリストを作成する（ステップＳ４）。続いて、アプリケーションサーバ４００は、作成したリストを利用者端末１００に表示させる（ステップＳ５）。
【００１３】
このように、店舗端末２００−１に入力された商品識別情報を含む購入情報に基づいて購入データを管理サーバ３００が生成し、アプリケーションサーバ４００がその購入データに基づいたリストを作成して利用者端末１００へ表示させる。これにより、利用者の認識しやすい家計簿を容易に得ることができる。
（第２の実施の形態）
【００１４】
図３は、本発明の情報提供システムの第２の実施の形態を示す図である。
本形態における情報提供システムは図３に示すように、利用者端末１０１と、それぞれ小売店等の店舗に設置されている店舗端末２０１−１，２０１−２と、管理サーバ３０１と、アプリケーションサーバ４０１とを有している。なお、図３に示した形態においては、店舗端末２０１−１，２０１−２の数が２である場合を例に挙げて示しているが、３以上であっても良い。
【００１５】
図４は、図３に示した管理サーバ３０１の内部構成の一例を示す図である。
図３に示した管理サーバ３０１は図４に示すように、購入データ生成部３１１と、二次元コード生成部３２１と、通信部３３１と、データベース３４１とを有している。なお、図４には、図３に示した管理サーバ３０１が具備する構成要素のうち、本実施の形態に関わる主要な構成要素の一例を示す。
【００１６】
購入データ生成部３１１は、店舗端末２０１−１，２０１−２から送信されてきた購入情報に基づいて、商品識別情報に対応する商品名と、その商品名が示す商品の価格と、購入した商品の個数と、合計金額と、店舗の名称と、購入日時とを対応付けた購入データを生成する。このとき、購入データ生成部３１１は、商品識別情報に対応する商品名をデータベース３４１から読み出す。また、購入データ生成部３１１が生成する購入データには、購入データごとに、店舗端末２０１−１，２０１−２から送信されてきた購入情報に含まれる、商品を精算した利用者の利用者識別情報が含まれる。
二次元コード生成部３２１は、購入データ生成部３１１が生成した購入データに応じた二次元コードを生成する。この二次元コードは、購入データを識別可能なものであれば良く、その生成方法は特に規定しない。
通信部３３１は、利用者端末１０１、店舗端末２０１−１，２０１−２およびアプリケーションサーバ４０１との間で通信を行う。例えば、通信部３３１は、店舗端末２０１−１，２０１−２から送信されてきた購入情報を受信する。また、通信部３３１は、二次元コード生成部３２１が生成した二次元コードを店舗端末２０１−１，２０１−２へ送信する。また、通信部３３１は、利用者端末１０１から送信されてきた二次元コードを受信する。また、通信部３３１は、購入データ生成部３１１が生成した購入データを利用者端末１０１へ送信する。また、通信部３３１は、利用者端末１０１から二次元コードが送信されてくると、その二次元コードに応じた購入データを利用者端末１０１へ送信する。このとき、二次元コードと購入データとの対応付けがデータベース３４１に記憶されていれば、通信部３３１は、その対応付けから二次元コードに応じた購入データを読み出して送信する。
データベース３４１は、商品識別情報と商品名とをあらかじめ対応付けて記憶する。
【００１７】
図５は、図４に示したデータベース３４１が記憶する商品識別情報と商品名との対応付けの一例を示す図である。
図４に示したデータベース３４１には図５に示すように、商品識別情報と商品名とが対応付けられて記憶されている。この対応付けは、あらかじめ設定されているものであって、複数の店舗端末で利用するものである。
【００１８】
図６は、図３に示した店舗端末２０１−１の内部構成の一例を示す図である。
図３に示した店舗端末２０１−１は図６に示すように、入力部２１１と、出力部２２１と、通信部２３１とを有している。なお、図６には、図３に示した店舗端末２０１−１が具備する構成要素のうち、本実施の形態に関わる主要な構成要素の一例を示す。また、図３に示した店舗端末２０１−２の内部構成についても同じ構成である。店舗端末２０１−１は利用者端末１０１を利用する利用者が商品を購入する店舗に設置された通信装置（例えば、レジスタ）であって、利用者が商品の購入の精算を行うための装置である。
【００１９】
入力部２１１は、商品識別情報を入力する。例えば、入力部２１１はコード読み取り機能を具備し、このコード読み取り機能を用いて、商品に表示されているＪＡＮ（Ｊａｐａｎｅｓｅ  Ａｒｔｉｃｌｅ  Ｎｕｍｂｅｒ）コードを読み取り、読み取ったコードを英数字や記号を用いた商品識別情報として入力する。また、入力部２１１は、商品の個数の入力があった場合、その個数を入力する。
通信部２３１は、入力部２１１が入力した商品識別情報を含む購入情報を管理サーバ３０１へ送信する。この購入情報には、商品識別情報のほか、商品の価格、購入した商品の個数、合計金額、店舗の名称および購入日時等が含まれる。
出力部２２１は、精算が終了すると、そのレシートを出力する。このとき、出力部２２１は、管理サーバ３０１から送信されてきた二次元コードを表示したレシートを出力する。
【００２０】
図７は、図３に示した利用者端末１０１の内部構成の一例を示す図である。
図３に示した利用者端末１０１は図７に示すように、読み取り部１１１と、通信部１２１と、表示部１３１とを有している。なお、図７には、図３に示した利用者端末１０１が具備する構成要素のうち、本実施の形態に関わる主要な構成要素の一例を示す。利用者端末１０１は、店舗端末２０１−１，２０１−２が設置されている店舗へ出向き、商品を購入する利用者が所持する通信装置である。
【００２１】
読み取り部１１１は、レシートに表示された二次元コードを読み取る。読み取り部１１１は、バーコードリーダや二次元コードリーダ等のコード情報の読み取り機能を有するものである。
通信部１２１は、読み取り部１１１が読み取った二次元コードを管理サーバ３０１へ送信する。また、通信部１２１は、管理サーバ３０１から送信されてきた購入データを受信する。また、通信部１２１は、管理サーバ３０１から購入データが送信されてくると、その購入データをアプリケーションサーバ４０１へ送信する。このとき、通信部１２１は、利用者端末１０１に固有に付与された端末識別情報も購入データとともに送信する。
表示部１３１は、一般的なディスプレイであって、情報を表示する。また、表示部１３１は、アプリケーションサーバ４０１から送信されてきたリスト画面を表示する。
【００２２】
図８は、図３に示したアプリケーションサーバ４０１の内部構成の一例を示す図である。
図３に示したアプリケーションサーバ４０１は図８に示すように、リスト作成部４１１とインタフェース部４２１とを有している。なお、図８には、図３に示したアプリケーションサーバ４０１が具備する構成要素のうち、本実施の形態に関わる主要な構成要素の一例を示す。
【００２３】
リスト作成部４１１は、利用者端末１０１から送信されてきた購入データに基づいて、リストを作成する。このリストが家計簿となる。このとき、リスト作成部４１１は、そのときの購入データに、送信されてきた端末識別情報が付与された利用者端末の過去の購入データを追加してリストを作成する。そのため、リスト作成部４１１は、常に購入データと端末識別情報とを紐づけて記憶しておき、新たに購入データが送信されてくるたびに、そのリストを更新していく。また、利用者端末１０１から、所定の指示が送信されてきた場合、過去のリストを削除するものであっても良い。
インタフェース部４２１は、リスト作成部４１１が作成したリストを表示するためのリスト画面を利用者端末１０１へ送信して、利用者端末１０１にリストを表示させる。
【００２４】
以下に、図３に示した情報提供システムにおける情報提供方法について説明する。
図９は、図３に示した情報提供システムにおける情報提供方法を説明するためのシーケンス図である。
まず、店舗端末２０１−１に商品識別情報が入力されると（ステップＳ１１）、店舗端末２０１−１は、入力された商品識別情報を含む購入情報を管理サーバ３０１へ送信する（ステップＳ１２）。店舗端末２０１−１に商品識別情報が入力されるタイミングは、商品を購入する利用者がその商品の精算を行うときである。また、店舗端末２０１−１には商品識別情報とともに、その商品の購入した個数が入力される。購入情報に含まれる情報については、上述した通りである。
すると、管理サーバ３０１は、店舗端末２０１−１から送信されてきた購入情報に基づいて、商品識別情報に対応する商品名と、その商品名が示す商品の価格と、購入した商品の個数と、合計金額と、店舗の名称と、購入日時とを対応付けた購入データを生成する（ステップＳ１３）。このとき、管理サーバ３０１は、店舗端末２０１−１から送信されてきた購入情報に含まれる商品識別情報と対応付けられた商品名をデータベース３４１から読み出す。そして、管理サーバ３０１は、商品名と、その商品名が示す商品の価格と、購入した商品の個数と、合計金額と、店舗の名称と、購入日時とを対応付けた購入データを生成する。この購入データは、リスト（家計簿）の元となるものである。
続いて、管理サーバ３０１は、生成した購入データに応じた二次元コードを生成する（ステップＳ１４）。管理サーバ３０１は、生成した二次元コードを店舗端末２０１−１へ送信する（ステップＳ１５）。
すると、店舗端末２０１−１は、管理サーバ３０１から送信されてきた二次元コードを出力する（ステップＳ１６）。具体的には、店舗端末２０１−１は、管理サーバ３０１から送信されてきた二次元コードをレシートに表示して（書き込んで）、そのレシートを出力する。
その後、利用者端末１０１が、レシートに表示されている二次元コードを読み取ると（ステップＳ１７）、読み取った二次元コードを管理サーバ３０１へ送信する（ステップＳ１８）。利用者端末１０１が送信した二次元コードを管理サーバ３０１が受信すると、管理サーバ３０１は、受信した二次元コードに応じた購入データを利用者端末１０１へ送信する（ステップＳ１９）。このとき、管理サーバ３０１が、二次元コードと購入データとの対応付けをデータベース３４１に記憶させておいた場合、管理サーバ３０１は、受信した二次元コードに応じた購入データをデータベース３４１から読み出して利用者端末１０１へ送信する。
利用者端末１０１が、管理サーバ３０１から購入データを受信すると、アプリケーションを起動して、アプリケーションサーバ４０１へ購入データを送信する（ステップＳ２０）。
アプリケーションサーバ４０１は、利用者端末１０１から購入データを受信すると、受信した購入データに基づいて、家計簿の元となるリストを作成する（ステップＳ２１）。このリストは、受信した購入データのみならず、この利用者の過去の購入データを履歴として追加したリストである。アプリケーションサーバ４０１は、作成したリストの画面を利用者端末１０１へ送信する（ステップＳ２２）。利用者端末１０１は、アプリケーションサーバ４０１からリストの画面を受信すると、そのリストを表示する（ステップＳ２３）。このステップＳ２０〜Ｓ２３の処理は、利用者端末１０１が、アプリケーションサーバ４０１が提供するアプリケーションを起動して、利用者端末１０１が利用者から所定の操作を受け付けた場合に、一連して行われるものであっても良い。
【００２５】
このように、店舗端末２０１−１に入力された商品識別情報を含む購入情報に基づいて購入データを管理サーバ３０１が生成し、購入データに応じた二次元コードを店舗端末２０１−１へ送信する。利用者端末１０１が、店舗端末２０１−１が出力した二次元コードを読み取り、管理サーバ３０１へ送信する。管理サーバ３０１は、利用者端末１０１から送信されてきた二次元コードに応じた購入データを利用者端末１０１へ送信し、利用者端末１０１が、購入データをアプリケーションサーバ４０１へ送信する。アプリケーションサーバ４０１がその購入データに基づいたリストを作成して利用者端末１０１へ表示させる。これにより、利用者の認識しやすい家計簿を容易に得ることができる。
（第３の実施の形態）
【００２６】
図１０は、本発明の情報提供システムの第３の実施の形態を示す図である。
本形態における情報提供システムは図１０に示すように、利用者端末１０２と、それぞれ小売店等の店舗に設置されている店舗端末２０２−１，２０２−２と、管理サーバ３０２と、アプリケーションサーバ４０２とを有している。なお、図１０に示した形態においては、店舗端末２０２−１，２０２−２の数が２である場合を例に挙げて示しているが、３以上であっても良い。
【００２７】
図１１は、図１０に示した管理サーバ３０２の内部構成の一例を示す図である。
図１０に示した管理サーバ３０２は図１１に示すように、購入データ生成部３１２と、二次元コード生成部３２２と、通信部３３２と、データベース３４２と、出力部３５２とを有している。なお、図１１には、図１０に示した管理サーバ３０２が具備する構成要素のうち、本実施の形態に関わる主要な構成要素の一例を示す。
【００２８】
購入データ生成部３１２、二次元コード生成部３２２およびデータベース３４２は、第２の実施の形態における購入データ生成部３１１、二次元コード生成部３２１およびデータベース３４１とそれぞれ同じもので良い。
第２の実施の形態における通信部３３１は、二次元コード生成部３２１が生成した二次元コードを店舗端末２０１−１，２０１−２へ送信したが、本形態における通信部３３２は、二次元コード生成部３２２が生成した二次元コードを店舗端末２０２−１，２０２−２へ送信しない。通信部３３２のそれ以外の機能については、第２の実施の形態における通信部３３１と同じである。
出力部３５２は、二次元コード生成部３２２が生成した二次元コードを生成して出力する。この出力方法は、例えば、Ｗｅｂ上に画面表示するもの等、利用者端末１０２がその二次元コードが読み取ることが可能な態様で表示する方法である。
【００２９】
図１０に示した店舗端末２０２−１，２０２−２は、第２の実施の形態における店舗端末２０１−１，２０１−２のように、二次元コードを出力することはしない。店舗端末２０２−１，２０２−２の他の機能については、第２の実施の形態における店舗端末２０１−１，２０１−２の機能と同じである。また、利用者端末１０２およびアプリケーションサーバ４０２は、第２の実施の形態における利用者端末１０１およびアプリケーションサーバ４０１とそれぞれ同じもので良い。
【００３０】
以下に、図１０に示した情報提供システムにおける情報提供方法について説明する。
図１２は、図１０に示した情報提供システムにおける情報提供方法を説明するためのシーケンス図である。
まず、店舗端末２０２−１に商品識別情報が入力されると（ステップＳ３１）、店舗端末２０２−１は、入力された商品識別情報を含む購入情報を管理サーバ３０２へ送信する（ステップＳ３２）。店舗端末２０２−１に商品識別情報が入力されるタイミングは、商品を購入する利用者がその商品の精算を行うときである。また、店舗端末２０２−１には商品識別情報とともに、その商品の購入した個数が入力される。購入情報に含まれる情報については、上述した通りである。
すると、管理サーバ３０２は、店舗端末２０２−１から送信されてきた購入情報に基づいて、商品識別情報に対応する商品名と、その商品名が示す商品の価格と、購入した商品の個数と、合計金額と、店舗の名称と、購入日時とを対応付けた購入データを生成する（ステップＳ３３）。このとき、管理サーバ３０２は、店舗端末２０２−１から送信されてきた購入情報に含まれる商品識別情報と対応付けられた商品名をデータベース３４２から読み出す。そして、管理サーバ３０２は、商品名と、その商品名が示す商品の価格と、購入した商品の個数と、合計金額と、店舗の名称と、購入日時とを対応付けた購入データを生成する。この購入データは、リスト（家計簿）の元となるものである。
続いて、管理サーバ３０２は、生成した購入データに応じた二次元コードを生成する（ステップＳ３４）。管理サーバ３０２は、生成した二次元コードを出力する（ステップＳ３５）。出力方法については上述した通りである。
その後、利用者端末１０２が、管理サーバ３０２が出力した、具体的には、例えば、管理サーバ３０２がＷｅｂ上に表示した二次元コードを読み取ると（ステップＳ３６）、読み取った二次元コードを管理サーバ３０２へ送信する（ステップＳ３７）。利用者端末１０２が送信した二次元コードを管理サーバ３０２が受信すると、管理サーバ３０２は、受信した二次元コードに応じた購入データを利用者端末１０２へ送信する（ステップＳ３８）。このとき、管理サーバ３０２が、二次元コードと購入データとの対応付けをデータベース３４２に記憶させておいた場合、管理サーバ３０２は、受信した二次元コードに応じた購入データをデータベース３４２から読み出して利用者端末１０２へ送信する。
利用者端末１０２が、管理サーバ３０２から購入データを受信すると、アプリケーションを起動して、アプリケーションサーバ４０２へ購入データを送信する（ステップＳ３９）。
アプリケーションサーバ４０２は、利用者端末１０２から購入データを受信すると、受信した購入データに基づいて、家計簿の元となるリストを作成する（ステップＳ４０）。このリストは、受信した購入データのみならず、この利用者の過去の購入データを履歴として追加したリストである。アプリケーションサーバ４０２は、作成したリストの画面を利用者端末１０２へ送信する（ステップＳ４１）。利用者端末１０２は、アプリケーションサーバ４０２からリストの画面を受信すると、そのリストを表示する（ステップＳ４２）。このステップＳ３９〜Ｓ４２の処理は、利用者端末１０２が、アプリケーションサーバ４０２が提供するアプリケーションを起動して、利用者端末１０２が利用者から所定の操作を受け付けた場合に、一連して行われるものであっても良い。
【００３１】
このように、店舗端末２０２−１に入力された商品識別情報を含む購入情報に基づいて購入データを管理サーバ３０２が生成し、購入データに応じた二次元コードを管理サーバ３０２が出力する。管理サーバ３０２が出力した二次元コードを利用者端末１０２が読み取り、管理サーバ３０２へ送信する。管理サーバ３０２は、利用者端末１０２から送信されてきた二次元コードに応じた購入データを利用者端末１０２へ送信し、利用者端末１０２が、購入データをアプリケーションサーバ４０２へ送信する。アプリケーションサーバ４０２がその購入データに基づいたリストを作成して利用者端末１０２へ表示させる。これにより、利用者の認識しやすい家計簿を容易に得ることができる。
（第４の実施の形態）
【００３２】
図１３は、本発明の情報提供システムの第４の実施の形態を示す図である。
本形態における情報提供システムは図１３に示すように、利用者端末１０３と、それぞれ小売店等の店舗に設置されている店舗端末２０３−１，２０３−２と、管理サーバ３０３と、アプリケーションサーバ４０３と、アクセスポイント５０３−１，５０３−２とを有している。なお、図１３に示した形態においては、店舗端末２０３−１，２０３−２の数およびアクセスポイント５０３−１，５０３−２の数がそれぞれ２である場合を例に挙げて示しているが、３以上であっても良い。本形態における利用者端末１０３は、利用者が所持する移動可能な通信装置である。
アクセスポイント５０３−１は、店舗端末２０３−１が設置されている店舗内（所定のエリア内）に存在する利用者端末との間で無線通信が可能な無線通信装置である。アクセスポイント５０３−２は、店舗端末２０３−２が設置されている店舗内（所定のエリア内）に存在する利用者端末との間で無線通信が可能な無線通信装置である。
【００３３】
図１４は、図１３に示したアクセスポイント５０３−１の内部構成の一例を示す図である。
図１３に示したアクセスポイント５０３−１は図１４に示すように、無線通信部５１３と、有線通信部５２３とを有している。なお、図１４には、図１３に示したアクセスポイント５０３−１が具備する構成要素のうち、本実施の形態に関わる主要な構成要素の一例を示す。また、図１３に示したアクセスポイント５０３−２の内部構成については、アクセスポイント５０３−１と同じである。
無線通信部５１３は、店舗端末２０３−１が設置されている店舗内に存在する利用者端末との間で無線通信を行う。無線通信部５１３は、この機能を用いて、店舗端末２０３−１が設置されている店舗内に存在していた利用者端末が店舗内に存在しなくなったかどうかを判定する。
有線通信部５２３は、無線通信部５１３が、店舗端末２０３−１が設置されている店舗内に存在していた利用者端末が店舗内に存在しなくなったと判定した場合、所定の通知を管理サーバ３０３へ送信する。この通知には、店舗内に存在しなくなった利用者端末を識別するための端末識別情報が含まれている。
【００３４】
図１５は、図１３に示した管理サーバ３０３の内部構成の一例を示す図である。
図１３に示した管理サーバ３０３は図１５に示すように、購入データ生成部３１３と、通信部３３３と、データベース３４３とを有している。なお、図１５には、図１３に示した管理サーバ３０３が具備する構成要素のうち、本実施の形態に関わる主要な構成要素の一例を示す。
【００３５】
購入データ生成部３１３およびデータベース３４３は、第２の実施の形態における購入データ生成部３１１およびデータベース３４１とそれぞれ同じもので良い。
通信部３３３は、アクセスポイント５０３−１，５０３−２から所定の通知を受信すると、購入データと端末識別情報とをアプリケーションサーバ４０３へ送信する。
【００３６】
図１６は、図１３に示したアプリケーションサーバ４０３の内部構成の一例を示す図である。
図１３に示したアプリケーションサーバ４０３は図１６に示すように、リスト作成部４１３と、インタフェース部４２３とを有している。なお、図１６には、図１３に示したアプリケーションサーバ４０３が具備する構成要素のうち、本実施の形態に関わる主要な構成要素の一例を示す。
【００３７】
リスト作成部４１３は、管理サーバ３０３から送信されてきた購入データおよび端末識別情報に基づいて、リストを作成する。インタフェース部４２３は、第２の実施の形態におけるインタフェース部４２１と同じものである。
【００３８】
以下に、図１３に示した情報提供システムにおける情報提供方法について説明する。
図１７は、図１３に示した情報提供システムにおける情報提供方法を説明するためのシーケンス図である。
まず、店舗端末２０３−１に商品識別情報が入力されると（ステップＳ５１）、店舗端末２０３−１は、入力された商品識別情報を含む購入情報を管理サーバ３０３へ送信する（ステップＳ５２）。店舗端末２０３−１に商品識別情報が入力されるタイミングは、商品を購入する利用者がその商品の精算を行うときである。また、店舗端末２０３−１には商品識別情報とともに、その商品の購入した個数が入力される。また、購入情報には、上述した情報に、利用者端末１０３に固有に付与された端末識別情報が追加される。店舗端末２０３−１が端末識別情報を取得する方法は、例えば、店舗端末２０３−１の入力部２１１が精算時に利用者や店員の操作を受け付けて入力する方法や、利用者端末１０３の通信機能を用いて、精算時に利用者端末１０３から送信された端末識別情報を店舗端末２０３−１の入力部２１１が受信して入力するものであっても良い。
すると、管理サーバ３０３は、店舗端末２０３−１から送信されてきた購入情報に基づいて、商品識別情報に対応する商品名と、その商品名が示す商品の価格と、購入した商品の個数と、合計金額と、店舗の名称と、購入日時とを対応付けた購入データを生成する（ステップＳ５３）。このとき、管理サーバ３０３は、店舗端末２０３−１から送信されてきた購入情報に含まれる商品識別情報と対応付けられた商品名をデータベース３４３から読み出す。そして、管理サーバ３０３は、商品名と、その商品名が示す商品の価格と、購入した商品の個数と、合計金額と、店舗の名称と、購入日時とを対応付けた購入データを生成する。この購入データは、リスト（家計簿）の元となるものである。このとき、管理サーバ３０３は、購入データと端末識別情報とを紐づけてデータベース３４３に記憶させておく。
その後、アクセスポイント５０３−１が、利用者端末１０３が、店舗端末２０３−１が設置されている店舗内に存在しなくなったと判定した場合、所定の通知を管理サーバ３０３へ送信する（ステップＳ５４）。この通知には、店舗内に存在しなくなったと判定した利用者端末１０３の端末識別情報が含まれる。
すると、管理サーバ３０３は、利用者端末１０３の端末識別情報と購入データとをアプリケーションサーバ４０３へ送信する（ステップＳ５５）。
アプリケーションサーバ４０３は、管理サーバ３０３から購入データを受信すると、受信した購入データに基づいて、家計簿の元となるリストを作成する（ステップＳ５６）。このとき、アプリケーションサーバ４０３は、受信した購入データのみならず、購入データとともに送信されてきた端末識別情報に基づいて、この利用者の過去の購入データを履歴として追加したリストを作成する。アプリケーションサーバ４０３は、作成したリストの画面を利用者端末１０３へ送信する（ステップＳ５７）。利用者端末１０３は、アプリケーションサーバ４０３からリストの画面を受信すると、そのリストを表示する（ステップＳ５８）。
【００３９】
このように、店舗端末２０３−１に入力された商品識別情報を含む購入情報に基づいて購入データを管理サーバ３０３が生成し、利用者端末１０３が店舗から外部へ出たことをアクセスポイント５０３−１が検出すると、管理サーバ３０３が購入データをアプリケーションサーバ４０３へ送信する。アプリケーションサーバ４０３がその購入データに基づいたリストを作成して利用者端末１０３へ表示させる。これにより、利用者の認識しやすい家計簿を容易に得ることができる。
（第５の実施の形態）
【００４０】
図１８は、本発明の情報提供システムの第５の実施の形態を示す図である。
本形態における情報提供システムは図１８に示すように、利用者端末１０４と、それぞれ小売店等の店舗に設置されている店舗端末２０４−１，２０４−２と、管理サーバ３０４と、アプリケーションサーバ４０４と、アクセスポイント５０４−１，５０４−２とを有している。なお、図１８に示した形態においては、店舗端末２０４−１，２０４−２の数およびアクセスポイント５０４−１，５０４−２の数がそれぞれ２である場合を例に挙げて示しているが、３以上であっても良い。本形態における利用者端末１０４は、利用者が所持する移動可能な通信装置である。
アクセスポイント５０４−１は、店舗端末２０４−１が設置されている店舗内（所定のエリア内）に存在する利用者端末との間で無線通信が可能な無線通信装置である。アクセスポイント５０４−２は、店舗端末２０４−２が設置されている店舗内（所定のエリア内）に存在する利用者端末との間で無線通信が可能な無線通信装置である。
【００４１】
図１９は、図１８に示したアクセスポイント５０４−１の内部構成の一例を示す図である。
図１８に示したアクセスポイント５０４−１は図１９に示すように、無線通信部５１４と、有線通信部５２４とを有している。なお、図１９には、図１８に示したアクセスポイント５０４−１が具備する構成要素のうち、本実施の形態に関わる主要な構成要素の一例を示す。また、図１８に示したアクセスポイント５０４−２の内部構成については、アクセスポイント５０４−１と同じである。
無線通信部５１４は、店舗端末２０４−１が設置されている店舗内に存在する利用者端末との間で無線通信を行う。無線通信部５１４は、この機能を用いて、店舗端末２０４−１が設置されている店舗内に存在していなかった利用者端末が店舗内に入ってきたかどうかを判定する。無線通信部５１４は、店舗端末２０４−１が設置されている店舗内に存在していなかった利用者端末が店舗内に入ってきたと判定した場合、その利用者端末から、当該利用者端末固有に付与された端末識別情報を取得する。
有線通信部５２３は、無線通信部５１４が、店舗端末２０４−１が設置されている店舗内に存在していなかった利用者端末が店舗内に入ってきたと判定した場合、所定の通知を管理サーバ３０４へ送信する。この通知には、店舗内に入ってきた利用者端末を識別するための端末識別情報が含まれている。
【００４２】
図２０は、図１８に示した管理サーバ３０４の内部構成の一例を示す図である。
図１８に示した管理サーバ３０４は図２０に示すように、購入データ生成部３１４と、通信部３３４と、データベース３４４と、商品情報検索部３６４とを有している。なお、図２０には、図１８に示した管理サーバ３０４が具備する構成要素のうち、本実施の形態に関わる主要な構成要素の一例を示す。
【００４３】
購入データ生成部３１４および通信部３３４は、第２の実施の形態における購入データ生成部３１１および通信部３３１とそれぞれ同じもので良い。
データベース３４４は、他の実施の形態で説明したデータを記憶することに加え、商品情報をあらかじめ記憶する。この商品情報は、例えば、旧型と新型の商品、類似の商品、その商品に対して高機能を持つ商品、その商品よりも価格の安い商品、同じジャンルの商品、お買得の商品、今セールとなっている商品といった、互いに関連のある商品を対応付けた情報である。
商品情報検索部３６４は、アクセスポイント５０４−１，５０４−２から上述した通知を受信すると、その利用者端末の利用者の購入データに基づいて、購入を促す商品情報をデータベース３４４から検索し、通信部３３４を介してアプリケーションサーバ４０４へ送信する。具体的には、商品情報検索部３６４は、アクセスポイント５０４−１，５０４−２から上述した通知を受信すると、その通知に含まれる端末識別情報と紐づけられてデータベース３４４に記憶されている購入データ（購入履歴）を読み出す。そして、商品情報検索部３６４は、その購入データに含まれる商品について、新製品や、関連する商品、買い替えを勧められる代替商品、付属商品等の購入をその利用者に促す商品情報をデータベース３４４から検索し、アプリケーションサーバ４０４へ送信する。
【００４４】
図２１は、図１８に示したアプリケーションサーバ４０４の内部構成の一例を示す図である。
図１８に示したアプリケーションサーバ４０４は図２１に示すように、リスト作成部４１４と、インタフェース部４２４と、商品情報画面作成部４３４とを有している。なお、図２１には、図１８に示したアプリケーションサーバ４０４が具備する構成要素のうち、本実施の形態に関わる主要な構成要素の一例を示す。
【００４５】
リスト作成部４１４およびインタフェース部４２４は、他の実施の形態におけるものと同じもので良い。
商品情報画面作成部４３４は、管理サーバ３０４から送信されてきた商品情報を利用者端末１０４に表示させるための画面を作成する。
【００４６】
以下に、図１８に示した情報提供システムにおける情報提供方法について説明する。
図２２は、図１８に示した情報提供システムにおける情報提供方法を説明するためのシーケンス図である。
まず、アクセスポイント５０４−１が、店舗端末２０４−１が設置されている店舗内に存在していなかった利用者端末１０４が店舗内に入ってきたかどうかを判定する。アクセスポイント５０４−１が、店舗端末２０４−１が設置されている店舗内に存在していなかった利用者端末１０４が店舗内に入ってきたと判定した場合、その旨を管理サーバ３０４へ通知する（ステップＳ７１）。
すると、管理サーバ３０４は、その通知に含まれる端末識別情報に基づいて、その端末識別情報と紐づけられてデータベース３４４に記憶されている購入データを検索する。そして、管理サーバ３０４は、検索された購入データに含まれる商品に基づいて、商品情報をデータベース３４４から検索する（ステップＳ７２）。管理サーバ３０４は、商品情報が検索できたら、その商品情報をアプリケーションサーバ４０４へ送信する（ステップＳ７３）。
アプリケーションサーバ４０４は、管理サーバ３０４から商品情報が送信されてくると、その商品情報を利用者端末１０４に表示させるための画面を作成する（ステップＳ７４）。続いて、アプリケーションサーバ４０４は、作成した商品情報画面を利用者端末１０４へ送信する（ステップＳ７５）。利用者端末１０４は、アプリケーションサーバ４０４から送信されてきた商品情報を表示する（ステップＳ７６）。
【００４７】
このように、利用者端末１０４が店舗に入ってきたことをアクセスポイント５０４−１が検出すると、利用者端末１０４の利用者の過去の購入データに基づいた商品情報を検索して利用者端末１０４へ表示させる。これにより、蓄積された購入データから、自身の購入履歴に見合った各店舗のお買い得情報等を受け取ることが出来る。
【００４８】
上述した第１〜５の実施の形態は、それぞれ独立で構成されるものであっても良いし、いくつかの形態を組み合わせ、またはすべての形態を組み合わせて構成されるものであっても良い。
【００４９】
以上説明したように本発明により、利用者の認識しやすい家計簿を容易に得ることができる。
【００５０】
上記の実施の形態の一部または全部は、以下の付記のようにも記載され得るが、以下には限られない。
（付記１）利用者端末と、店舗に設置された店舗端末と、管理サーバと、アプリケーションサーバとを有する情報提供システムにおいて、
前記店舗端末は、入力された商品識別情報を含む購入情報を前記管理サーバへ送信し、
前記管理サーバは、前記店舗端末を複数管理可能であり、前記店舗端末から送信されてきた購入情報に基づいて、前記商品識別情報に対応する商品名と、該商品名が示す商品の価格と、購入した商品の個数と、合計金額と、購入日時とを対応付けた購入データを生成し、
前記アプリケーションサーバは、前記管理サーバが生成した購入データに基づいて、所定のリストを作成し、該リストを前記利用者端末に表示させる情報提供システム。
（付記２）前記管理サーバは、前記購入データに応じた二次元コードを生成して前記店舗端末へ送信し、前記利用者端末から前記二次元コードが送信されてくると、該二次元コードに応じた購入データを前記利用者端末へ送信し、
前記店舗端末は、前記管理サーバから送信されてきた二次元コードを表示したレシートを出力し、
前記利用者端末は、前記レシートに表示された二次元コードを読み取り、該読み取った二次元コードを前記管理サーバへ送信し、前記管理サーバから前記購入データが送信されてくると、該購入データを前記アプリケーションサーバへ送信し、
前記アプリケーションサーバは、前記利用者端末から送信されてきた購入データに基づいて、前記リストを作成する、付記１に記載の情報提供システム。
（付記３）前記管理サーバは、前記購入データに応じた二次元コードを生成して出力し、前記利用者端末から前記二次元コードが送信されてくると、該二次元コードに応じた購入データを前記利用者端末へ送信し、
前記利用者端末は、前記管理サーバが出力した二次元コードを読み取り、該読み取った二次元コードを前記管理サーバへ送信し、前記管理サーバから前記購入データが送信されてくると、該購入データを前記アプリケーションサーバへ送信し、
前記アプリケーションサーバは、前記利用者端末から送信されてきた購入データに基づいて、前記リストを作成する、付記１に記載の情報提供システム。
（付記４）前記利用者端末が所定のエリア内に存在するかどうかを判定するアクセスポイントを有し、
前記アクセスポイントは、前記利用者端末が前記エリア内に存在しなくなったと判定した場合、所定の通知を前記管理サーバへ送信し、
前記管理サーバは、前記アクセスポイントから前記通知を受信すると、前記購入データを前記アプリケーションサーバへ送信し、
前記アプリケーションサーバは、前記管理サーバから送信されてきた購入データに基づいて、前記リストを作成する、付記１に記載の情報提供システム。
（付記５）前記利用者端末が所定のエリア内に存在するかどうかを判定するアクセスポイントを有し、
前記アクセスポイントは、前記利用者端末が前記エリア内に入ってきたと判定した場合、所定の通知を前記管理サーバへ送信し、
前記管理サーバは、前記アクセスポイントから前記通知を受信すると、前記購入データに基づいて、購入を促す商品情報を前記アプリケーションサーバへ送信し、
前記アプリケーションサーバは、前記管理サーバから送信されてきた商品情報を前記利用者端末に表示させる、付記１に記載の情報提供システム。
（付記６）前記管理サーバは、前記店舗端末から送信されてきた購入情報に基づいて、前記商品名と、前記価格と、前記個数と、前記合計金額と、前記購入日時と、前記店舗の名称とを対応付けた購入データを生成する、付記１から５のいずれか１項に記載の情報提供システム。
（付記７）前記管理サーバは、前記商品識別情報と前記商品名とをあらかじめ対応付けて記憶しておくデータベースを有する、付記１から６のいずれか１項に記載の情報提供システム。
（付記８）利用者端末と、店舗に設置された店舗端末と、前記店舗端末を複数管理可能な管理サーバと、アプリケーションサーバとを有する情報提供システムにおける情報提供方法であって、
前記店舗端末が、入力された商品識別情報を含む購入情報を前記管理サーバへ送信する処理と、
前記管理サーバが、前記店舗端末から送信されてきた購入情報に基づいて、前記商品識別情報に対応する商品名と、該商品名が示す商品の価格と、購入した商品の個数と、合計金額と、購入日時とを対応付けた購入データを生成する処理と、
前記アプリケーションサーバが、前記購入データに基づいて、所定のリストを作成する処理と、
前記アプリケーションサーバが、前記リストを前記利用者端末に表示させる処理とを行う情報提供方法。
【符号の説明】
【００５１】
１００，１０１，１０２，１０３，１０４    利用者端末
１１１    読み取り部
１２１，２３１，３３１，３３２，３３３，３３４    通信部
１３１    表示部
２００−１，２００−２，２０１−１，２０１−２，２０２−１，２０２−２，２０３−１，２０３−２，２０４−１，２０４−２    店舗端末
２１１    入力部
２２１    出力部
３００，３０１，３０２，３０３，３０４    管理サーバ
３１１，３１２，３１３，３１４    購入データ生成部
３２１，３２２    二次元コード生成部
３４１，３４２，３４３，３４４    データベース
３５２    出力部
３６４    商品情報検索部
４００，４０１，４０２，４０３，４０４    アプリケーションサーバ
４１１，４１３，４１４    リスト作成部
４２１，４２３，４２４    インタフェース部
４３４    商品情報画面作成部
５０３−１，５０３−２，５０４−１，５０４−２    アクセスポイント
５１３，５１４    無線通信部
５２３，５２４    有線通信部
【図１】
0006679974.tif 000002
【図２】
0006679974.tif 000003
【図３】
0006679974.tif 000004
【図４】
0006679974.tif 000005
【図５】
0006679974.tif 000006
【図６】
0006679974.tif 000007
【図７】
0006679974.tif 000008
【図８】
0006679974.tif 000009
【図９】
0006679974.tif 000010
【図１０】
0006679974.tif 000011
【図１１】
0006679974.tif 000012
【図１２】
0006679974.tif 000013
【図１３】
0006679974.tif 000014
【図１４】
0006679974.tif 000015
【図１５】
0006679974.tif 000016
【図１６】
0006679974.tif 000017
【図１７】
0006679974.tif 000018
【図１８】
0006679974.tif 000019
【図１９】
0006679974.tif 000020
【図２０】
0006679974.tif 000021
【図２１】
0006679974.tif 000022
【図２２】
0006679974.tif 000023